(57)【要約】本発明の実施例は、共存干渉周波数セットの設定方法、基地局及びユーザ機器を提供する。該方法は、ユーザ機器がソース基地局からターゲット基地局へハンドオーバする場合、ターゲット基地局が、ソース基地局から送信されたユーザ機器のために設定された第１の共存干渉周波数セットを受信するステップと、ターゲット基地局が第１の共存干渉周波数セットと所定の第２の共存干渉周波数セットとを比較し、比較結果として両者が同一である場合、ターゲット基地局がユーザ機器に対して共存干渉周波数セットを再設定しないステップと、を含む。本発明の実施例によれば、基地局による共存干渉周波数の設定を低減でき、システムリソースの浪費を低減でき、システムの性能を向上できる。
2015515231.tif 000002
【特許請求の範囲】
【請求項１】
ユーザ機器がソース基地局からターゲット基地局へハンドオーバする場合、前記ターゲット基地局が、前記ソース基地局から送信された前記ユーザ機器のために設定された第１の共存干渉周波数セットを受信するステップと、
前記ターゲット基地局が前記第１の共存干渉周波数セットと所定の第２の共存干渉周波数セットとを比較し、比較結果として両者が同一である場合、前記ターゲット基地局が前記ユーザ機器に対して共存干渉周波数セットを再設定しないステップと、を含む、共存干渉周波数セットの設定方法。
【請求項２】
前記ターゲット基地局が前記ユーザ機器に、前記第１の共存干渉周波数セットを使用するための指示情報を送信するステップ、をさらに含む、請求項１に記載の共存干渉周波数セットの設定方法。
【請求項３】
比較結果として前記第１の共存干渉周波数セットと前記第２の共存干渉周波数セットとが異なる場合、前記ターゲット基地局が前記ユーザ機器に、共存干渉周波数セットを再設定するための情報を送信するステップ、をさらに含む、請求項１又は２に記載の共存干渉周波数セットの設定方法。
【請求項４】
前記共存干渉周波数セットを再設定するための情報は、前記第２の共存干渉周波数セットを含み、
前記ユーザ機器は、前記第２の共存干渉周波数セットにおける周波数に対して、共存干渉評価を行う、請求項３に記載の共存干渉周波数セットの設定方法。
【請求項５】
前記共存干渉周波数セットを再設定するための情報は、第３の共存干渉周波数セットを含み、
前記ユーザ機器は、前記第１の共存干渉周波数セットに含まれ、且つ前記第３の共存干渉周波数セットに含まれていない周波数に対して、共存干渉評価を行い、
前記第１の共存干渉周波数セットは、前記第２の共存干渉周波数セットを含み、前記第３の共存干渉周波数セットにおける周波数は、前記第１の共存干渉周波数セットに含まれ、且つ前記第２の共存干渉周波数セットに含まれていない、請求項３に記載の共存干渉周波数セットの設定方法。
【請求項６】
前記共存干渉周波数セットを再設定するための情報は、第４の共存干渉周波数セットを含み、
前記ユーザ機器は、前記第１の共存干渉周波数セットに含まれている周波数、及び前記第４の共存干渉周波数セットに含まれている周波数に対して、共存干渉評価を行い、
前記第２の共存干渉周波数セットは、前記第１の共存干渉周波数セットを含み、前記第４の共存干渉周波数セットにおける周波数は、前記第１の共存干渉周波数セットに含まれておらず、且つ前記第２の共存干渉周波数セットに含まれている、請求項３に記載の共存干渉周波数セットの設定方法。
【請求項７】
前記ソース基地局は、ハンドオーバ要求メッセージを介して前記第１の共存干渉周波数セットを送信する、請求項１又は２に記載の共存干渉周波数セットの設定方法。
【請求項８】
前記第２の共存干渉周波数セットは、前記ターゲット基地局によりそれ自身及び隣接基地局の周波数の使用状況に基づいて設定される、請求項１又は２に記載の共存干渉周波数セットの設定方法。
【請求項９】
ユーザ機器がソース基地局からターゲット基地局へハンドオーバする場合、前記ソース基地局が前記ターゲット基地局に、前記ユーザ機器のために設定された第１の共存干渉周波数セットを送信するステップ、を含む、共存干渉周波数セットの設定方法。
【請求項１０】
ハンドオーバ要求メッセージを介して前記第１の共存干渉周波数セットを送信する、請求項９に記載の共存干渉周波数セットの設定方法。
【請求項１１】
ユーザ機器が、共存干渉周波数セットを再設定するための情報を受信していない場合、第１の共存干渉周波数セットにおける周波数に対して共存干渉評価を行うステップを含み、
前記第１の共存干渉周波数セットは、ソース基地局により設定され、
前記ユーザ機器がソース基地局からターゲット基地局へハンドオーバする場合、前記第１の共存干渉周波数セットは、前記ソース基地局により前記ターゲット基地局に送信され、
前記ターゲット基地局は、前記第１の共存干渉周波数セットと所定の第２の共存干渉周波数セットとが同一である場合、前記ユーザ機器に対して共存干渉周波数セットを再設定しない、共存干渉周波数セットの設定方法。
【請求項１２】
前記ユーザ機器が、前記ターゲット基地局により送信された、前記第１の共存干渉周波数セットを使用するための指示情報を受信するステップと、
前記ユーザ機器が、前記指示情報を受信した後で、第１の共存干渉周波数セットにおける周波数に対して、共存干渉評価を行うステップと、をさらに含む、請求項１１に記載の共存干渉周波数セットの設定方法。
【請求項１３】
前記ユーザ機器が、前記ターゲット基地局により送信された、前記ユーザ機器のために共存干渉周波数セットを再設定するための情報を受信するステップと、
前記共存干渉周波数セットを再設定するための情報に基づいて、共存干渉評価を行うステップと、をさらに含む、請求項１１又は１２に記載の共存干渉周波数セットの設定方法。
【請求項１４】
前記共存干渉周波数セットを再設定するための情報は、前記第２の共存干渉周波数セットを含み、
前記ユーザ機器は、前記第２の共存干渉周波数セットにおける周波数に対して、共存干渉評価を行う、請求項１３に記載の共存干渉周波数セットの設定方法。
【請求項１５】
前記共存干渉周波数セットを再設定するための情報は、第３の共存干渉周波数セットを含み、
前記第１の共存干渉周波数セットは、前記第２の共存干渉周波数セットを含み、前記第３の共存干渉周波数セットにおける周波数は、前記第１の共存干渉周波数セットに含まれ、且つ前記第２の共存干渉周波数セットに含まれておらず、
前記ユーザ機器は、前記第１の共存干渉周波数セットに含まれ、且つ前記第３の共存干渉周波数セットに含まれていない周波数に対して、共存干渉評価を行う、請求項１３に記載の共存干渉周波数セットの設定方法。
【請求項１６】
前記共存干渉周波数セットを再設定するための情報は、第４の共存干渉周波数セットを含み、
前記第２の共存干渉周波数セットは、前記第１の共存干渉周波数セットを含み、前記第４の共存干渉周波数セットにおける周波数は、前記第１の共存干渉周波数セットに含まれておらず、且つ前記第２の共存干渉周波数セットに含まれており、
前記ユーザ機器は、前記第１の共存干渉周波数セットに含まれている周波数、及び前記第４の共存干渉周波数セットに含まれている周波数に対して、共存干渉評価を行う、請求項１３に記載の共存干渉周波数セットの設定方法。
【請求項１７】
ユーザ機器がソース基地局からターゲット基地局へハンドオーバする場合、前記ソース基地局から送信された前記ユーザ機器のために設定された第１の共存干渉周波数セットを受信する第１の受信手段と、
前記第１の共存干渉周波数セットと所定の第２の共存干渉周波数セットとを比較し、比較結果として両者が同一である場合、前記ターゲット基地局が前記ユーザ機器に対して共存干渉周波数セットを再設定しない、比較手段と、を含む、基地局。
【請求項１８】
前記ユーザ機器に、前記第１の共存干渉周波数セットを使用するための指示情報を送信する第１の送信手段、をさらに含む、請求項１７に記載の基地局。
【請求項１９】
前記比較手段の比較結果として前記第１の共存干渉周波数セットと前記第２の共存干渉周波数セットとが異なる場合、前記ユーザ機器に、共存干渉周波数セットを再設定するための情報を送信する第２の送信手段、をさらに含む、請求項１７又は１８に記載の基地局。
【請求項２０】
前記第２の共存干渉周波数セットは、前記ターゲット基地局によりそれ自身及び隣接基地局の周波数の使用状況に基づいて設定される、請求項１７又は１８に記載の基地局。
【請求項２１】
ユーザ機器がソース基地局からターゲット基地局へハンドオーバする場合、前記ターゲット基地局に、前記ユーザ機器のために設定された第１の共存干渉周波数セットを送信する第３の送信手段、を含む、基地局。
【請求項２２】
前記第３の送信手段は、ハンドオーバ要求メッセージを介して前記第１の共存干渉周波数セットを送信する、請求項２１に記載の基地局。
【請求項２３】
共存干渉周波数セットを再設定するための情報を受信していない場合、第１の共存干渉周波数セットにおける周波数に対して共存干渉評価を行う評価手段を含み、
前記第１の共存干渉周波数セットは、ソース基地局により設定され、
前記ユーザ機器がソース基地局からターゲット基地局へハンドオーバする場合、前記ソース基地局は、前記ターゲット基地局に前記第１の共存干渉周波数セットを送信し、
前記ターゲット基地局は、前記第１の共存干渉周波数セットと所定の第２の共存干渉周波数セットとが同一である場合、前記ユーザ機器に対して共存干渉周波数セットを再設定しない、ユーザ機器。
【請求項２４】
前記ターゲット基地局により送信された、前記第１の共存干渉周波数セットを使用するための指示情報を受信する第２の受信手段と、
前記評価手段は、前記第２の受信手段が前記指示情報を受信した後で、第１の共存干渉周波数セットにおける周波数に対して、共存干渉評価を行う、請求項２３に記載のユーザ機器。
【請求項２５】
前記ターゲット基地局により送信された、前記ユーザ機器のために共存干渉周波数セットを再設定するための情報を受信する第３の受信手段と、
前記評価手段は、前記共存干渉周波数セットを再設定するための情報に基づいて、共存干渉評価を行う、請求項２３又は２４に記載のユーザ機器。
【請求項２６】
前記共存干渉周波数セットを再設定するための情報は、前記第２の共存干渉周波数セットを含み、
前記評価手段は、前記第２の共存干渉周波数セットにおける周波数に対して、共存干渉評価を行う、請求項２５に記載のユーザ機器。
【請求項２７】
前記共存干渉周波数セットを再設定するための情報は、第３の共存干渉周波数セットを含み、
前記第１の共存干渉周波数セットは、前記第２の共存干渉周波数セットを含み、前記第３の共存干渉周波数セットにおける周波数は、前記第１の共存干渉周波数セットに含まれ、且つ前記第２の共存干渉周波数セットに含まれておらず、
前記評価手段は、前記第１の共存干渉周波数セットに含まれ、且つ前記第３の共存干渉周波数セットに含まれていない周波数に対して、共存干渉評価を行う、請求項２５に記載のユーザ機器。
【請求項２８】
前記共存干渉周波数セットを再設定するための情報は、第４の共存干渉周波数セットを含み、
前記第２の共存干渉周波数セットは、前記第１の共存干渉周波数セットを含み、前記第４の共存干渉周波数セットにおける周波数は、前記第１の共存干渉周波数セットに含まれておらず、且つ前記第２の共存干渉周波数セットに含まれており、
前記評価手段は、前記第１の共存干渉周波数セットに含まれている周波数、及び前記第４の共存干渉周波数セットに含まれている周波数に対して、共存干渉評価を行う、請求項２５に記載のユーザ機器。
【請求項２９】
基地局においてプログラムを実行する際に、コンピュータに、請求項１乃至１０に記載の共存干渉周波数セットの設定方法を前記基地局において実行させる、コンピュータ読み取り可能なプログラム。
【請求項３０】
コンピュータに、請求項１乃至１０に記載の共存干渉周波数セットの設定方法を基地局において実行させるためのコンピュータ読み取り可能なプログラムを記録する、記録媒体。
【請求項３１】
ユーザ機器においてプログラムを実行する際に、コンピュータに、請求項１１乃至１６に記載の共存干渉周波数セットの設定方法を前記ユーザ機器において実行させる、コンピュータ読み取り可能なプログラム。
【請求項３２】
コンピュータに、請求項１１乃至１６に記載の共存干渉周波数セットの設定方法をユーザ機器において実行させるためのコンピュータ読み取り可能なプログラムを記録する、記録媒体。
【発明の詳細な説明】
【技術分野】
【０００１】
本発明は、通信分野に関し、特に共存干渉周波数セットの設定方法、基地局及び端末機器に関する。
【背景技術】
【０００２】
ユーザにどこでもネットワークへアクセスさせるため、端末機器は、異なるネットワークへアクセスするように、複数の送受信機を備える必要がある。例えば、端末機器は、ロングタームエボリューション（ＬＴＥ：Ｌｏｎｇ  Ｔｅｒｍ  Ｅｖｏｌｕｔｉｏｎ）システムを装備すると共に、産業科学医療（ＩＳＭ：Ｉｎｄｕｓｔｒｉａｌ  Ｓｃｉｅｎｔｉｆｉｃ  Ｍｅｄｉｃａｌ）システム（例えば、ＷｉＦｉ、ブルートゥース（ＢｌｕｅＴｏｏｔｈ(登録商標)）等）の送受信機を装備してもよい。同一の端末機器においては、複数の送受信機の距離が近いため、１つのシステム送受信機の電力はもう１つのシステム送受信機の電力よりも遥かに高い場合がある。
【０００３】
図１は、従来技術における干渉共存を示す図である。図１に示すように、端末機器は、ＬＴＥシステム、ＧＰＳシステム及びブルートゥース／ＷｉＦｉシステムを含んでもよく、ＬＴＥシステムはブルートゥース／ＷｉＦｉシステムに干渉を与える可能性があり、ブルートゥース／ＷｉＦｉシステムはＬＴＥシステムに干渉を与える可能性もある。
【０００４】
従来では、ＬＴＥ−Ａの共存干渉回避メカニズムにおいて、基地局はユーザ機器のために共存干渉周波数セットを設定（構成）し、ユーザ機器はこの共存干渉周波数セットにおける周波数について共存干渉があるか否かを評価して済む。そして、ユーザ機器は、これらの周波数の評価結果を基地局に送信する。これによって、ユーザ機器による周波数評価の回数を低減でき、システムの性能を向上できる。
【０００５】
しかし、ユーザ機器がソース基地局からターゲット基地局へハンドオーバする場合、基地局は該ユーザ機器に対して共存干渉周波数セットを再設定する。実際には、ソース基地局の周波数セットとターゲット基地局の周波数セットとが同一であると、このような再設定は余計なことである。また、共存干渉周波数セットを設定するためのオーバヘッドが大きいため、システムリソースの浪費をもたらし、システムの性能が低下してしまう。
【０００６】
なお、上述した技術背景の説明は、本発明の技術案を明確、完全に理解させるための説明であり、当業者を理解させるために記述されているものである。これらの技術案は、単なる本発明の背景技術部分として説明されたものであり、当業者により公知されたものではない。
【発明の概要】
【発明が解決しようとする課題】
【０００７】
本発明の実施例は、基地局による共存干渉周波数の設定を低減できる共存干渉周波数セットの設定方法、基地局及び端末機器を提供することを目的とする。
【課題を解決するための手段】
【０００８】
本発明の実施例の一の態様では、ユーザ機器がソース基地局からターゲット基地局へハンドオーバする場合、前記ターゲット基地局が、前記ソース基地局から送信された前記ユーザ機器のために設定された第１の共存干渉周波数セットを受信するステップと、前記ターゲット基地局が前記第１の共存干渉周波数セットと所定の第２の共存干渉周波数セットとを比較し、比較結果として両者が同一である場合、前記ターゲット基地局が前記ユーザ機器に対して共存干渉周波数セットを再設定しないステップと、を含む、共存干渉周波数セットの設定方法を提供する。
【０００９】
本発明の実施例の他の態様では、ユーザ機器がソース基地局からターゲット基地局へハンドオーバする場合、前記ソース基地局が前記ターゲット基地局に、前記ユーザ機器のために設定された第１の共存干渉周波数セットを送信するステップ、を含む、共存干渉周波数セットの設定方法を提供する。
【００１０】
本発明の実施例の他の態様では、ユーザ機器が、共存干渉周波数セットを再設定するための情報を受信していない場合、第１の共存干渉周波数セットにおける周波数に対して共存干渉評価を行うステップを含み、前記第１の共存干渉周波数セットは、ソース基地局により設定され、前記ユーザ機器がソース基地局からターゲット基地局へハンドオーバする場合、前記第１の共存干渉周波数セットは、前記ソース基地局により前記ターゲット基地局に送信され、前記ターゲット基地局は、前記第１の共存干渉周波数セットと所定の第２の共存干渉周波数セットとが同一である場合、前記ユーザ機器に対して共存干渉周波数セットを再設定しない、共存干渉周波数セットの設定方法を提供する。
【００１１】
本発明の実施例の他の態様では、ユーザ機器がソース基地局からターゲット基地局へハンドオーバする場合、前記ソース基地局から送信された前記ユーザ機器のために設定された第１の共存干渉周波数セットを受信する第１の受信手段と、前記第１の共存干渉周波数セットと所定の第２の共存干渉周波数セットとを比較し、比較結果として両者が同一である場合、前記ターゲット基地局が前記ユーザ機器に対して共存干渉周波数セットを再設定しない、比較手段と、を含む、基地局を提供する。
【００１２】
本発明の実施例の他の態様では、ユーザ機器がソース基地局からターゲット基地局へハンドオーバする場合、前記ターゲット基地局に、前記ユーザ機器のために設定された第１の共存干渉周波数セットを送信する第３の送信手段、を含む、基地局を提供する。
【００１３】
本発明の実施例の他の態様では、共存干渉周波数セットを再設定するための情報を受信していない場合、第１の共存干渉周波数セットにおける周波数に対して共存干渉評価を行う評価手段を含み、前記第１の共存干渉周波数セットは、ソース基地局により設定され、前記ユーザ機器がソース基地局からターゲット基地局へハンドオーバする場合、前記ソース基地局は、前記ターゲット基地局に前記第１の共存干渉周波数セットを送信し、前記ターゲット基地局は、前記第１の共存干渉周波数セットと所定の第２の共存干渉周波数セットとが同一である場合、前記ユーザ機器に対して共存干渉周波数セットを再設定しない、ユーザ機器を提供する。
【００１４】
本発明の実施例の他の態様では、基地局においてプログラムを実行する際に、コンピュータに、上記の共存干渉周波数セットの設定方法を前記基地局において実行させる、コンピュータ読み取り可能なプログラムを提供する。
【００１５】
本発明の実施例の他の態様では、コンピュータに、上記の共存干渉周波数セットの設定方法を基地局において実行させるためのコンピュータ読み取り可能なプログラムを記録する、記録媒体を提供する。
【００１６】
本発明の実施例の他の態様では、ユーザ機器においてプログラムを実行する際に、コンピュータに、上記の共存干渉周波数セットの設定方法を前記ユーザ機器において実行させる、コンピュータ読み取り可能なプログラムを提供する。
【００１７】
本発明の実施例の他の態様では、コンピュータに、上記の共存干渉周波数セットの設定方法をユーザ機器において実行させるためのコンピュータ読み取り可能なプログラムを記録する、記録媒体を提供する。
【００１８】
本発明の実施例によれば、ユーザ機器がソース基地局からターゲット基地局へハンドオーバする場合、ターゲット基地局は、ソース基地局から送信されたユーザ機器のために設定された第１の共存干渉周波数セットを受信し、第１の共存干渉周波数セットと所定の第２の共存干渉周波数セットとが同一である場合、ターゲット基地局は、ユーザ機器に対して共存干渉周波数セットを再設定しない。これによって、基地局による共存干渉周波数の設定を低減でき、システムリソースの浪費を低減でき、システムの性能を向上できる。
【００１９】
本発明の特定の実施形態は、後述の説明及び図面に示すように、詳細に開示され、本発明の原理を採用されることが可能な方式を示している。なお、本発明の実施形態は、範囲上には限定されるものではない。本発明の実施形態は、添付されている特許請求の範囲の主旨及び内容の範囲内、各種の改変、修正、及び同等的なものが含まれる。
【００２０】
ある一つの実施形態に説明及び又は示されている特徴は、同一又は類似の方式で一つ又は多くの他の実施形態に使用されてもよく、他の実施形態における特徴と組み合わせてもよく、他の実施形態における特徴を代替してもよい。
【００２１】
なお、用語「包括／含む」は、本文に使用される際に、特徴、要素、ステップ又は構成要件の存在を意味し、一つ又は複数の他の特徴、要素、ステップ又は構成要件の存在又は追加を排除するものではない。
【図面の簡単な説明】
【００２２】
本発明は、図面を参照しながら下記説明するものにより、よりよく理解できる。図面における素子は、比例に応じて描くものではなく、本発明の原理を示すものである。本発明のある部分を示すため、図面における対応部分が拡大又は縮小されてもよい。
【００２３】
本発明のある図面又はある実施形態に記載された構成要件及び特徴は、一つ又は多くの他の図面又は実施形態に示された構成要件及び特徴と組み合わせてもよい。また、図面において、類似の符号は、いくつの図面における対応の部材を示してもよく、複数の実施形態に用いられる対応の部材を示してもよい。
【図１】従来技術における干渉共存を示す図である。
【図２】本発明の実施例１に係る設定方法の１つのフローチャートである。
【図３】本発明の実施例１に係る設定方法のもう１つのフローチャートである。
【図４】本発明の実施例２に係る設定方法の１つのフローチャートである。
【図５】本発明の実施例２に係る設定方法のもう１つのフローチャートである。
【図６】本発明の実施例３に係る設定方法の１つのフローチャートである。
【図７】本発明の実施例３に係る設定方法のもう１つのフローチャートである。
【図８】本発明の実施例４に係る基地局の１つの構成を示す図である。
【図９】本発明の実施例４に係る基地局のもう１つの構成を示す図である。
【図１０】本発明の実施例５に係るユーザ機器の１つの構成を示す図である。
【図１１】本発明の実施例５に係るユーザ機器のもう１つの構成を示す図である。
【図１２】本発明の実施例６に係る基地局の１つの構成を示す図である。
【発明を実施するための形態】
【００２４】
本発明の上記及びその他の特徴は、図面及び下記の説明により理解できるものである。明細書及び図面では、本発明の特定の実施形態、即ち本発明の原則に従う一部の実施形態を表すものを公開している。なお、本発明は説明される実施形態に限定されず、本発明は、特許請求の範囲内の全ての修正、変更されたもの、及び均等なものを含む。
【００２５】
＜実施例１＞
本発明の実施例は、共存干渉周波数セットの設定方法を提供し、該設定方法はターゲット基地局側に用いられる。図２は、本発明の実施例１に係る設定方法の１つのフローチャートである。図２に示すように、該設定方法は以下のステップを含む。
【００２６】
ステップ２０１：ユーザ機器がソース基地局からターゲット基地局へハンドオーバする場合、ターゲット基地局は、ソース基地局から送信された、ユーザ機器のために設定された第１の共存干渉周波数セットを受信する。
【００２７】
ステップ２０２：ターゲット基地局は、第１の共存干渉周波数セットと所定の第２の共存干渉周波数セットとを比較する。比較結果として両者が同一である場合、ターゲット基地局は、ユーザ機器に対して共存干渉周波数セットを再設定しない。
【００２８】
本実施例では、第１の共存干渉周波数セットは、ソース基地局によりユーザ機器のために設定され、１つ又は複数の周波数情報を含んでもよい。例えば、該第１の共存干渉周波数セットは、Ａ＝｛ｆ１、ｆ２、ｆ３、ｆ４｝で表示されてもよい。ユーザ機器は、第１の共存干渉周波数セットに基づいて、共存干渉の評価を行ってもよい。具体的な共存干渉周波数セットの設定（構成）方法、及び具体的な共存干渉の評価方法は、従来技術を参照してもよく、ここにその説明が省略される。
【００２９】
本実施例では、従来技術と異なって、ソース基地局は、ターゲット基地局に第１の共存干渉周波数セットを送信する際に、ハンドオーバ要求メッセージを介して第１の共存干渉周波数セットを送信してもよい。例えば、ハンドオーバ要求メッセージは、従来のハンドオーバ情報の他に、第１の共存干渉周波数セットを含んでもよい。また、これに限定されず、実際の状況に応じて、他のメッセージを用いて第１の共存干渉周波数セットを送信してもよい。
【００３０】
具体的に実施する際に、Ｘ２ポートを介して送信してもよいし、Ｓ１ポートを介して送信してもよい。また、これに限定されず、実際の状況に応じて、具体的な送信方法を決定してもよい。
【００３１】
ターゲット基地局は、ユーザ機器のために第２の共存干渉周波数セットを予め生成してもよく、第２の共存干渉周波数セットは、ターゲット基地局によりそれ自身及び隣接基地局の周波数の使用状況に基づいて設定されてもよい。例えば、ターゲット基地局は、それ自身によりサポートされている周波数及び隣接基地局の周波数の負荷状況に基づいて、第２の共存干渉周波数セットを設定してもよい。
【００３２】
第２の共存干渉周波数セットは、１つ又は複数の周波数情報を含んでもよい。ここで、第２の共存干渉周波数セットと第１の共存干渉周波数セットとは、同一であってもよいし、異なってもよい。第２の共存干渉周波数セットは第１の共存干渉周波数セットを含んでもよいし、第１の共存干渉周波数セットは第２の共存干渉周波数セットを含んでもよい。
【００３３】
本実施例では、ターゲット基地局は、ソース基地局から送信された第１の共存干渉周波数セットを受信した後で、第１の共存干渉周波数セットと第２の共存干渉周波数セットとを比較してもよい。第１の共存干渉周波数セットと第２の共存干渉周波数セットとが同一である（例えば、第２の共存干渉周波数セットＢ＝｛ｆ１、ｆ２、ｆ３、ｆ４｝）場合は、ターゲット基地局は、ユーザ機器に対して共存干渉周波数セットを再設定しないことで、共存干渉周波数セットの設定を低減する。
【００３４】
具体的に実施する際に、ターゲット基地局は、ユーザ機器に、第１の共存干渉周波数セットを使用するための指示情報をさらに送信してもよい。この指示情報は、ハンドオーバのプロセスにおいて送信されてもよいし、ハンドオーバが完了した後で送信されてもよい。ユーザ機器は、この指示情報に基づいて、第１の共存干渉周波数セットを使用し続けてもよい。
【００３５】
これによって、ユーザ機器は、ターゲット基地局から送信された、共存干渉周波数セットを再設定するための情報を受信していない場合、或いはターゲット基地局から送信された、第１の共存干渉周波数セットを使用するための指示情報を受信した場合、そのままで、第１の共存干渉周波数セットの周波数（例えばｆ１、ｆ２、ｆ３、ｆ４）に対して共存干渉評価を行ってもよい。
【００３６】
図３は、本発明の実施例１に係る設定方法のもう１つのフローチャートである。図３に示すように、該設定方法は以下のステップを含む。
【００３７】
ステップ３０１：ユーザ機器がソース基地局からターゲット基地局へハンドオーバする場合、ターゲット基地局は、ソース基地局から送信された、ユーザ機器のために設定された第１の共存干渉周波数セットを受信する。
【００３８】
ステップ３０２：ターゲット基地局は、第１の共存干渉周波数セットと所定の第２の共存干渉周波数セットとを比較し、判断結果として両者が同一であるか否かを判断する。比較結果として両者が同一である場合、ステップ３０３を実行し、比較結果として両者が異なる場合、ステップ３０４を実行する。
【００３９】
ステップ３０３：ターゲット基地局は、ユーザ機器に対して共存干渉周波数セットを再設定しない、或いはユーザ機器に、第１の共存干渉周波数セットを使用するための指示情報を送信する。
【００４０】
本実施例では、第１の共存干渉周波数セット（例えば、集合Ａ＝｛ｆ１、ｆ２、ｆ３、ｆ４｝）と第２の共存干渉周波数セット（例えば、集合Ｂ＝｛ｆ１、ｆ２、ｆ３、ｆ４｝）とが同一である場合は、ターゲット基地局は、ユーザ機器に対して共存干渉周波数セットを再設定しない、或いはユーザ機器がソース基地局と同じの共存干渉周波数セットを使用することを示す指示メッセージを送信してもよい。この場合は、ユーザ機器は、ソース基地局の集合Ａをそのまま使用して、共存干渉の評価を行う。
【００４１】
ステップ３０４：ターゲット基地局は、ユーザ機器に、共存干渉周波数セットを再設定するための情報を送信する。
【００４２】
本実施例では、第１の共存干渉周波数セットと第２の共存干渉周波数セットとが異なる場合、ターゲット基地局は、ユーザ機器に、共存干渉周波数セットを再設定するための情報を送信する。なお、再設定の処理は、ハンドオーバのプロセスにおいて行われてもよい。例えば、ハンドオーバ指令を介して、共存干渉周波数セットを再設定するための情報をユーザ機器に送信してもよいが、これに限定されず、ハンドオーバのプロセスが完了した後で行われてもよい。
【００４３】
１つの例では、共存干渉周波数セットを再設定するための情報は、第２の共存干渉周波数セットを含んでもよく、ユーザ機器は、第２の共存干渉周波数セットにおける周波数に対して、共存干渉評価を行う。
【００４４】
例えば、集合Ａ＝｛ｆ１、ｆ２、ｆ３、ｆ４｝、集合Ａ＝｛ｆ３、ｆ５、ｆ６｝となると、ターゲット基地局は、｛ｆ３、ｆ５、ｆ６｝をユーザ機器に送信して、ユーザ機器は、｛ｆ３、ｆ５、ｆ６｝に対して、共存干渉の評価を行ってもよい。
【００４５】
もう１つの例では、第１の共存干渉周波数セットが第２の共存干渉周波数セットを含む場合、共存干渉周波数セットを再設定するための情報は、第３の共存干渉周波数セットを含んでもよい。第３の共存干渉周波数セットにおける周波数は、第１の共存干渉周波数セットに含まれ、且つ第２の共存干渉周波数セットに含まれていない。よって、ユーザ機器は、第１の共存干渉周波数セットに含まれ、且つ第３の共存干渉周波数セットに含まれていない周波数に対して、共存干渉評価を行ってもよい。
【００４６】
例えば、第１の共存干渉周波数セットＡ＝｛ｆ１、ｆ２、ｆ３、ｆ４、ｆ５、ｆ６｝、第２の共存干渉周波数セットＢ＝｛ｆ３、ｆ４、ｆ５、ｆ６｝となると、第３の共存干渉周波数セットＣ＝｛ｆ１、ｆ２｝となる。よって、ターゲット基地局は、ユーザ機器に｛ｆ１、ｆ２｝のみを送信すればよい。ユーザ機器は、｛ｆ１、ｆ２、ｆ３、ｆ４、ｆ５、ｆ６｝及び｛ｆ１、ｆ２｝に基づいて、｛ｆ３、ｆ４、ｆ５、ｆ６｝に対して共存干渉の評価を行うことと決定できる。
【００４７】
この例では、例えば第１の共存干渉周波数セットが第２の共存干渉周波数セットを含み、且つ第１の共存干渉周波数セット及び第２の共存干渉周波数セットがいずれも大きい場合、比較的に小さい第３の共存干渉周波数セットのみを送信することで、通信リソースを節約でき、システム性能を向上できる。
【００４８】
もう１つの例では、第２の共存干渉周波数セットが第１の共存干渉周波数セットを含む場合、共存干渉周波数セットを再設定するための情報は、第４の共存干渉周波数セットを含んでもよい。第４の共存干渉周波数セットにおける周波数は、第１の共存干渉周波数セットに含まれておらず、且つ第２の共存干渉周波数セットに含まれている。よって、ユーザ機器は、第１の共存干渉周波数セットに含まれている周波数、及び第４の共存干渉周波数セットに含まれている周波数に対して、共存干渉評価を行ってもよい。
【００４９】
例えば、第１の共存干渉周波数セットＡ＝｛ｆ３、ｆ４、ｆ５、ｆ６｝、第２の共存干渉周波数セットＢ＝｛ｆ１、ｆ２、ｆ３、ｆ４、ｆ５、ｆ６｝となると、第４の共存干渉周波数セットＣ＝｛ｆ１、ｆ２｝となる。よって、ターゲット基地局は、ユーザ機器に｛ｆ１、ｆ２｝のみを送信すればよい。ユーザ機器は、｛ｆ３、ｆ４、ｆ５、ｆ６｝及び｛ｆ１、ｆ２｝に基づいて、｛ｆ１、ｆ２、ｆ３、ｆ４、ｆ５、ｆ６｝に対して共存干渉の評価を行うことと決定できる。
【００５０】
この例では、例えば第２の共存干渉周波数セットが第１の共存干渉周波数セットを含み、且つ第１の共存干渉周波数セット及び第２の共存干渉周波数セットがいずれも大きい場合、比較的に小さい第４の共存干渉周波数セットのみを送信することで、通信リソースを節約でき、システム性能を向上できる。
【００５１】
具体的に実施する際に、ターゲット基地局は、共存干渉周波数セットを示す情報をさらに送信してもよい。例えば、第３の共存干渉周波数セットを送信する場合、ビット「０」を送信してもよい。このビット「０」は、共存干渉周波数セットが第３の共存干渉周波数セットであることを示す。これによって、ユーザ機器は、第１の共存干渉周波数セットに含まれ、且つ第３の共存干渉周波数セットに含まれていない周波数に対して、共存干渉の評価を行うことができる。
【００５２】
第４の共存干渉周波数セットを送信する場合、ビット「１」を送信してもよい。このビット「１」は、共存干渉周波数セットが第４の共存干渉周波数セットであることを示す。これによって、ユーザ機器は、第１の共存干渉周波数セットに含まれている周波数、及び第４の共存干渉周波数セットに含まれている周波数に対して、共存干渉の評価を行うことができる。
【００５３】
また、第２の共存干渉周波数セットを送信する場合は、この共存干渉周波数セットを示す情報を送信しなくてもよい。これによって、ユーザ機器は、第２の共存干渉周波数セットにおける周波数に対して、共存干渉の評価を直接に行うことができる。
【００５４】
具体的に実施する際に、異なる共存干渉周波数セットについて、異なるデータ構造を定義してもよい。例えば、情報要素（ＩＥ：Ｉｎｆｏｒｍａｔｉｏｎ  Ｅｌｅｍｅｎｔ）により実現されてもよく、第１の共存干渉周波数セットは第１の情報要素を用い、第２の共存干渉周波数セットは第２の情報要素を用い、第３の共存干渉周波数セットは第３の情報要素を用い、第４の共存干渉周波数セットは第４の情報要素を用いる。
【００５５】
ユーザ機器は、第３の情報要素を受信した場合、該情報要素が第３の共存干渉周波数セットに対応することと決定し、第１の共存干渉周波数セットに含まれ、且つ第３の共存干渉周波数セットに含まれていない周波数に対して共存干渉の評価を行うことができる。
【００５６】
ユーザ機器は、第４の情報要素を受信した場合、該情報要素が第４の共存干渉周波数セットに対応することと決定し、第１の共存干渉周波数セットに含まれている周波数、及び第４の共存干渉周波数セットに含まれている周波数に対して共存干渉の評価を行うことができる。
【００５７】
ユーザ機器は、第４の情報要素を受信した場合、該情報要素が第２の共存干渉周波数セットに対応することと決定し、第２の共存干渉周波数セットにおける周波数に対して共存干渉の評価を直接に行うことができる。
【００５８】
なお、上記の例は単なる共存干渉周波数セットの再設定を例示的に説明するものである。本実施例はこれに限定されず、実際の状況に応じて具体的な実施方法を決定してもよい。
【００５９】
上記の実施例によれば、ユーザ機器がソース基地局からターゲット基地局へハンドオーバする場合、ターゲット基地局は、ソース基地局から送信されたユーザ機器のために設定された第１の共存干渉周波数セットを受信し、第１の共存干渉周波数セットと所定の第２の共存干渉周波数セットとが同一である場合、ターゲット基地局は、ユーザ機器に対して共存干渉周波数セットを再設定しない。これによって、基地局による共存干渉周波数の設定を低減でき、システムリソースの浪費を低減でき、システムの性能を向上できる。
【００６０】
＜実施例２＞
本発明の実施例は、共存干渉周波数セットの設定方法を提供し、実施例１をベースとして、ユーザ機器側で説明する。実施例１と同じ内容は、ここにその説明が省略される。
【００６１】
図４は、本発明の実施例２に係る設定方法の１つのフローチャートである。図４に示すように、該設定方法は以下のステップを含む。
【００６２】
ステップ４０１：ユーザ機器は、共存干渉周波数セットを再設定するための情報を受信していない場合、第１の共存干渉周波数セットにおける周波数に対して共存干渉評価を行う。
【００６３】
ここで、第１の共存干渉周波数セットは、ソース基地局により設定される。ユーザ機器がソース基地局からターゲット基地局へハンドオーバする場合、ソース基地局は、ターゲット基地局に、第１の共存干渉周波数セットを送信する。ターゲット基地局は、第１の共存干渉周波数セットと所定の第２の共存干渉周波数セットとが同一である場合、ユーザ機器に対して共存干渉周波数セットを再設定しない。
【００６４】
本実施例では、ユーザ機器は、ターゲット基地局から送信された、共存干渉周波数セットを再設定するための情報を受信していない場合、ソース基地局により設定された第１の共存干渉周波数セットを使用し続けてもよい。これによって、共存干渉周波数セットの設定を低減できる。
【００６５】
具体的に実施する際に、該方法は、ユーザ機器が、ターゲット基地局により送信された、第１の共存干渉周波数セットを使用するための指示情報を受信するステップと、ユーザ機器が、この指示情報に基づいて、第１の共存干渉周波数セットにおける周波数に対して、共存干渉評価を行うステップと、をさらに含んでもよい。
【００６６】
図５は、本発明の実施例２に係る設定方法のもう１つのフローチャートである。図５に示すように、該設定方法は以下のステップを含む。
【００６７】
ステップ５０１：ユーザ機器は、ソース基地局からターゲット基地局へハンドオーバする。
【００６８】
ステップ５０２：ユーザ機器は、ターゲット基地局から送信された、共存干渉周波数セットを再設定するための情報を受信したか否かを判断し、共存干渉周波数セットを再設定するための情報を受信していない場合、ステップ５０３を実行し、共存干渉周波数セットを再設定するための情報を受信した場合、ステップ５０４を実行する。
【００６９】
本実施例では、ユーザ機器は、ターゲット基地局により送信された、第１の共存干渉周波数セットを使用するための指示情報を受信してもよく、この指示情報を受信した後で、ステップ５０３を実行してもよい。
【００７０】
ステップ５０３：ユーザ機器は、第１の共存干渉周波数セットにおける周波数に対して共存干渉評価を行う。
【００７１】
ステップ５０４：ユーザ機器は、共存干渉周波数セットを再設定するための情報に基づいて、共存干渉評価を行う。
【００７２】
１つの例では、共存干渉周波数セットを再設定するための情報は、第２の共存干渉周波数セットを含んでもよく、ユーザ機器は、第２の共存干渉周波数セットにおける周波数に対して、共存干渉評価を行う。
【００７３】
もう１つの例では、共存干渉周波数セットを再設定するための情報は、第３の共存干渉周波数セットを含んでもよい。第１の共存干渉周波数セットは、第２の共存干渉周波数セットを含み、第３の共存干渉周波数セットにおける周波数は、第１の共存干渉周波数セットに含まれ、且つ第２の共存干渉周波数セットに含まれていない。また、ユーザ機器は、第１の共存干渉周波数セットに含まれ、且つ第３の共存干渉周波数セットに含まれていない周波数に対して、共存干渉評価を行う。
【００７４】
もう１つの例では、共存干渉周波数セットを再設定するための情報は、第４の共存干渉周波数セットを含んでもよい。第２の共存干渉周波数セットは、第１の共存干渉周波数セットを含み、第４の共存干渉周波数セットにおける周波数は、第１の共存干渉周波数セットに含まれておらず、且つ前記第２の共存干渉周波数セットに含まれている。また、ユーザ機器は、第１の共存干渉周波数セットに含まれている周波数、及び第４の共存干渉周波数セットに含まれている周波数に対して、共存干渉評価を行う。
【００７５】
上記の実施例によれば、ユーザ機器がソース基地局からターゲット基地局へハンドオーバする場合、ターゲット基地局は、ソース基地局から送信されたユーザ機器のために設定された第１の共存干渉周波数セットを受信し、第１の共存干渉周波数セットと所定の第２の共存干渉周波数セットとが同一である場合、ターゲット基地局は、ユーザ機器に対して共存干渉周波数セットを再設定しない。これによって、基地局による共存干渉周波数の設定を低減でき、システムリソースの浪費を低減でき、システムの性能を向上できる。
【００７６】
＜実施例３＞
本発明の実施例は共存干渉周波数セットの設定方法を提供し、実施例１及び２をベースとして、ソース基地局側、及びソース基地局とターゲット基地局とユーザ機器の側から具体的に説明する。実施例１及び２と同じの内容について、ここにその説明が省略される。
【００７７】
図６は、本発明の実施例３に係る設定方法の１つのフローチャートである。図６に示すように、該設定方法は以下のステップを含む。
【００７８】
ステップ６０１：ユーザ機器がソース基地局からターゲット基地局へハンドオーバする場合、ソース基地局は、ターゲット基地局に、ユーザ機器のために設定された第１の共存干渉周波数セットを送信する。
【００７９】
ここで、ソース基地局は、ハンドオーバ要求メッセージを介して第１の共存干渉周波数セットを送信してもよい。具体的に実施する際に、Ｘ２ポートを介して送信してもよいし、Ｓ１ポートを介して送信してもよい。また、これに限定されず、実際の状況に応じて、具体的なメッセージ及び送信方法を決定してもよい。
【００８０】
図７は、本発明の実施例３に係る設定方法のもう１つのフローチャートである。図７に示すように、該設定方法は以下のステップを含む。
【００８１】
ステップ７０１：ユーザ機器がソース基地局からターゲット基地局へハンドオーバする場合、ソース基地局は、ターゲット基地局に、ユーザ機器のために設定された第１の共存干渉周波数セットを送信する。
【００８２】
ステップ７０２：ターゲット基地局は、ソース基地局から送信された、ユーザ機器のために設定された第１の共存干渉周波数セットを受信した後で、第１の共存干渉周波数セットと所定の第２の共存干渉周波数セットとを比較する。
【００８３】
ステップ７０３：ターゲット基地局は、比較結果として両者が同一であるか否かを判断し、比較結果として両者が同一である場合、ステップ７０４を実行し、比較結果として両者が異なる場合、ステップ７０６を実行する。
【００８４】
ステップ７０４：ターゲット基地局は、ユーザ機器に対して共存干渉周波数セットを再設定しない、或いはユーザ機器に、第１の共存干渉周波数セットを使用するための指示情報を送信する。
【００８５】
ステップ７０５：ユーザ機器は、第１の共存干渉周波数セットにおける周波数に対して共存干渉の評価を行う。
【００８６】
本実施例では、第１の共存干渉周波数セット（集合Ａ）と第２の共存干渉周波数セット（集合Ｂ）とが同一である場合は、ターゲット基地局は、ユーザ機器に対して共存干渉周波数セットを再設定しない、或いはユーザ機器がソース基地局と同じの共存干渉周波数セットを使用することを示す指示メッセージを送信してもよい。この場合は、ユーザ機器は、ソース基地局の集合Ａをそのまま使用して、共存干渉の評価を行う。
【００８７】
ステップ７０６：ターゲット基地局は、ユーザ機器に、共存干渉周波数セットを再設定するための情報を送信する。
【００８８】
ステップ７０７：ユーザ機器は、共存干渉周波数セットを再設定するための情報に基づいて、共存干渉の評価を行う。
【００８９】
本実施例では、集合Ａと集合Ｂとが異なる場合、ターゲット基地局は、ユーザ機器のために共存干渉周波数セットを再設定する。具体的に実施する際に、ターゲット基地局は、ユーザ機器のために集合Ｂを設定し、ユーザ機器は、集合Ｂにおける周波数に対して共存干渉の評価を行う。
【００９０】
或いは、集合Ａが集合Ｂを含む場合、ターゲット基地局は、ユーザ機器に元の集合（即ち集合Ａ）に含まれ、且つ集合Ｂに含まれていない周波数（例えば余計集合Ｃ）を通知し、ユーザ機器は、集合Ａに属し、且つ余計集合Ｃに属していない周波数に対して共存干渉の評価を行う。
【００９１】
或いは、集合Ｂが集合Ａを含む場合、ターゲット基地局は、ユーザ機器に、元の集合（即ち集合Ａ）における周波数の他、ターゲットにより追加された周波数（例えば新周波数集合Ｄ）を通知し、ユーザ機器は、集合Ａに属する周波数、及び新周波数集合Ｄに属する周波数に対して共存干渉の評価を行う。
【００９２】
上記の実施例によれば、ユーザ機器がソース基地局からターゲット基地局へハンドオーバする場合、ターゲット基地局は、ソース基地局から送信されたユーザ機器のために設定された第１の共存干渉周波数セットを受信し、第１の共存干渉周波数セットと所定の第２の共存干渉周波数セットとが同一である場合、ターゲット基地局は、ユーザ機器に対して共存干渉周波数セットを再設定しない。これによって、基地局による共存干渉周波数の設定を低減でき、システムリソースの浪費を低減でき、システムの性能を向上できる。
【００９３】
＜実施例４＞
本発明の実施例は基地局を提供し、該基地局はユーザ機器がハンドオーバする際のターゲット基地局である。本実施例は実施例１に対応し、同じ内容についての説明がここに省略される。
【００９４】
図８は、本発明の実施例４に係る基地局の１つの構成を示す図である。図８に示すように、基地局８００は、第１の受信部８０１、及び比較部８０２を含む。基地局８００のその他の部分は、従来技術を参照してもよく、ここにその説明が省略される。
【００９５】
ここで、第１の受信部８０１は、ユーザ機器がソース基地局からターゲット基地局へハンドオーバする場合、ソース基地局から送信されたユーザ機器のために設定された第１の共存干渉周波数セットを受信する。比較部８０２は、第１の共存干渉周波数セットと所定の第２の共存干渉周波数セットとを比較し、比較結果として両者が同一である場合、ターゲット基地局がユーザ機器に対して共存干渉周波数セットを再設定しない。
【００９６】
図９は、本発明の実施例４に係る基地局のもう１つの構成を示す図である。図９に示すように、基地局９００は、上述したように、第１の受信部８０１、及び比較部８０２を含む。
【００９７】
図９に示すように、基地局９００は、第１の送信部９０３をさらに含んでもよい。第１の送信部９０３は、第１の共存干渉周波数セットと第２の共存干渉周波数セットとが同一である場合、ユーザ機器に、第１の共存干渉周波数セットを使用するための指示情報を送信する。
【００９８】
図９に示すように、基地局９００は、第２の送信部９０４をさらに含んでもよい。第２の送信部９０４は、比較部８０２の比較結果として第１の共存干渉周波数セットと第２の共存干渉周波数セットとが異なる場合、ユーザ機器に、共存干渉周波数セットを再設定するための情報を送信する。
【００９９】
本実施例では、第２の共存干渉周波数セットは、ターゲット基地局によりそれ自身及び隣接基地局の周波数の使用状況に基づいて設定される。
【０１００】
上記の実施例によれば、ユーザ機器がソース基地局からターゲット基地局へハンドオーバする場合、ターゲット基地局は、ソース基地局から送信されたユーザ機器のために設定された第１の共存干渉周波数セットを受信し、第１の共存干渉周波数セットと所定の第２の共存干渉周波数セットとが同一である場合、ターゲット基地局は、ユーザ機器に対して共存干渉周波数セットを再設定しない。これによって、基地局による共存干渉周波数の設定を低減でき、システムリソースの浪費を低減でき、システムの性能を向上できる。
【０１０１】
＜実施例５＞
本発明の実施例はユーザ機器を提供し、ユーザ機器はソース基地局からターゲット基地局へハンドオーバする。本実施例は実施例２に対応し、同じ内容についての説明がここに省略される。
【０１０２】
図１０は、本発明の実施例５に係るユーザ機器の１つの構成を示す図である。図１０に示すように、ユーザ機器１０００は、評価部１００１を含む。ユーザ機器１０００のその他の部分は、従来技術を参照してもよく、ここにその説明が省略される。
【０１０３】
ここで、評価部１００１は、共存干渉周波数セットを再設定するための情報を受信していない場合、第１の共存干渉周波数セットにおける周波数に対して共存干渉評価を行う。
【０１０４】
ここで、第１の共存干渉周波数セットは、ソース基地局により設定される。ユーザ機器がソース基地局からターゲット基地局へハンドオーバする場合、ソース基地局は、ターゲット基地局に第１の共存干渉周波数セットを送信する。ターゲット基地局は、第１の共存干渉周波数セットと所定の第２の共存干渉周波数セットとが同一である場合、ユーザ機器に対して共存干渉周波数セットを再設定しない。
【０１０５】
図１１は、本発明の実施例５に係るユーザ機器のもう１つの構成を示す図である。図１１に示すように、ユーザ機器１１００は、上述したように、評価部１００１を含む。
【０１０６】
図１１に示すように、ユーザ機器１１００は、第２の受信部１１０２をさらに含んでもよい。第２の受信部１１０２は、ターゲット基地局により送信された、第１の共存干渉周波数セットを使用するための指示情報を受信する。また、評価部１００１は、指示情報が受信された場合、第１の共存干渉周波数セットにおける周波数に対して、共存干渉評価を行う。
【０１０７】
図１１に示すように、ユーザ機器１１００は、第３の受信部１１０３をさらに含んでもよい。第３の受信部１１０３は、ターゲット基地局により送信された、ユーザ機器のために共存干渉周波数セットを再設定するための情報を受信する。また、評価部１００１は、共存干渉周波数セットを再設定するための情報に基づいて、共存干渉評価を行う。
【０１０８】
１つの例では、共存干渉周波数セットを再設定するための情報は、第２の共存干渉周波数セットを含んでもよい。評価部１００１は、第２の共存干渉周波数セットにおける周波数に対して、共存干渉評価を行う。
【０１０９】
もう１つの例では、共存干渉周波数セットを再設定するための情報は、第３の共存干渉周波数セットを含んでもよい。第１の共存干渉周波数セットは、第２の共存干渉周波数セットを含み、第３の共存干渉周波数セットにおける周波数は、第１の共存干渉周波数セットに含まれ、且つ第２の共存干渉周波数セットに含まれていない。また、評価部１００１は、第１の共存干渉周波数セットに含まれ、且つ第３の共存干渉周波数セットに含まれていない周波数に対して、共存干渉評価を行う。
【０１１０】
もう１つの例では、共存干渉周波数セットを再設定するための情報は、第４の共存干渉周波数セットを含んでもよい。第２の共存干渉周波数セットは、第１の共存干渉周波数セットを含み、第４の共存干渉周波数セットにおける周波数は、第１の共存干渉周波数セットに含まれておらず、且つ第２の共存干渉周波数セットに含まれている。また、評価部１００１は、第１の共存干渉周波数セットに含まれている周波数、及び第４の共存干渉周波数セットに含まれている周波数に対して、共存干渉評価を行う。
【０１１１】
上記の実施例によれば、ユーザ機器がソース基地局からターゲット基地局へハンドオーバする場合、ターゲット基地局は、ソース基地局から送信されたユーザ機器のために設定された第１の共存干渉周波数セットを受信し、第１の共存干渉周波数セットと所定の第２の共存干渉周波数セットとが同一である場合、ターゲット基地局は、ユーザ機器に対して共存干渉周波数セットを再設定しない。これによって、基地局による共存干渉周波数の設定を低減でき、システムリソースの浪費を低減でき、システムの性能を向上できる。
【０１１２】
＜実施例６＞
本発明の実施例は基地局を提供し、該基地局は、ユーザ機器がハンドオーバする際のソース基地局である。本実施例は実施例３に対応し、同じ内容についての説明がここに省略される。
【０１１３】
図１２は、本発明の実施例６に係る基地局の１つの構成を示す図である。図１２に示すように、基地局１２００は、第３の送信部１２０１を含む。基地局１２００のその他の部分は、従来技術を参照してもよく、ここにその説明が省略される。
【０１１４】
ここで、第３の送信部１２０１は、ユーザ機器がソース基地局からターゲット基地局へハンドオーバする場合、ターゲット基地局に、前記ユーザ機器のために設定された第１の共存干渉周波数セットを送信する。
【０１１５】
ここで、第３の送信部１２０１は、ハンドオーバ要求メッセージを介して第１の共存干渉周波数セットを送信する。
【０１１６】
上記の実施例によれば、ユーザ機器がソース基地局からターゲット基地局へハンドオーバする場合、ターゲット基地局は、ソース基地局から送信されたユーザ機器のために設定された第１の共存干渉周波数セットを受信し、第１の共存干渉周波数セットと所定の第２の共存干渉周波数セットとが同一である場合、ターゲット基地局は、ユーザ機器に対して共存干渉周波数セットを再設定しない。これによって、基地局による共存干渉周波数の設定を低減でき、システムリソースの浪費を低減でき、システムの性能を向上できる。
【０１１７】
本発明の実施例は、基地局においてプログラムを実行する際に、コンピュータに、上記の共存干渉周波数セットの設定方法を基地局において実行させる、コンピュータ読み取り可能なプログラム、をさらに提供する。
【０１１８】
本発明の実施例は、コンピュータに、上記の共存干渉周波数セットの設定方法を基地局において実行させるためのコンピュータ読み取り可能なプログラムを記録する、記録媒体をさらに提供する。
【０１１９】
本発明の実施例は、ユーザ機器においてプログラムを実行する際に、コンピュータに、上記の共存干渉周波数セットの設定方法をユーザ機器において実行させる、コンピュータ読み取り可能なプログラム、をさらに提供する。
【０１２０】
本発明の実施例は、コンピュータに、上記の共存干渉周波数セットの設定方法をユーザ機器において実行させるためのコンピュータ読み取り可能なプログラムを記録する、記録媒体、をさらに提供する。
【０１２１】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、ディスク、光ディスク、ＤＶＤ、フラッシュメモリ等に関する。
【０１２２】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2015515231.tif 000003
【図２】
2015515231.tif 000004
【図３】
2015515231.tif 000005
【図４】
2015515231.tif 000006
【図５】
2015515231.tif 000007
【図６】
2015515231.tif 000008
【図７】
2015515231.tif 000009
【図８】
2015515231.tif 000010
【図９】
2015515231.tif 000011
【図１０】
2015515231.tif 000012
【図１１】
2015515231.tif 000013
【図１２】
2015515231.tif 000014
【国際調査報告】
2015515231.tif 000015
2015515231.tif 000016
2015515231.tif 000017
2015515231.tif 000018